【手続補正書】
【提出日】平成19年12月10日(2007.12.10)
【手続補正１】
【補正対象書類名】明細書
【補正対象項目名】特許請求の範囲
【補正方法】変更
【補正の内容】
【特許請求の範囲】
【請求項１】  組立体支持プラットホーム（１２）に使用できる作動式の回転自在な支持部材組立体であって、組立体支持プラットホーム（１２）は、支持部材（１４）組立体を位置決めするよう構成されており、支持部材（１４）組立体は、
荷重を支持する支持面（１６）を備えた荷重支持部材（１４）と、
回転軸線を中心とした支持部材（１４）の回転のために組立体支持プラットホーム（１２）に連結されるように構成され、回転シャフト（７４；５０２ｂ）を備えた回動部材（３４）と、
回転平面内において、回転軸線を中心に、荷重支持部材（１４）を組立体支持プラットホーム（１２）に対して選択的に回転させるのに十分な回転力を作用させるように作動する力伝達部材（９６；５００）と、
荷重支持部材（１４）と回動部材（３４）との間に連結された少なくとも１つのリンク部材（３３０ａ；３３０ｂ）と、を有し、少なくとも１つのリンク部材は、荷重支持部材（１４）に剛に取り付けられた第１の端部、及び直接且つ剛に回転シャフト（７４；５０２ｂ）に取り付けられた第２の端部を備え、第２の端部は、力伝達部材（９６；５００）によって作用された回転力に応答して回転平面内の回転軸線を中心に少なくとも１つのリンク部材の回動運動のために回転シャフトによって支持され、力伝達部材によって作用される回転力に応答して回転平面内の回転軸線を中心とした荷重支持部材（１４）の回転を許容し、力伝達部材（９６；５００）によって作用された回転力に応答して回転平面内の荷重支持部材（１４）の回転を除き、選択された方向に整合しない方向の移動を拘束しながら、回転平面と整合しない選択された方向の荷重支持部材（１４）の運動を許容し、少なくとも１つのリンク部材は、回動部材（３４）に選択された方向の荷重支持部材（１４）によって支持された荷重の少なくとも一部を伝達するように構成され、荷重支持部材（１４）によって支持された選択された方向の荷重の下で選択された方向の撓みを許容し、荷重が除去されたとき選択された方向とは反対の方向に戻る移動をするに十分な可撓性があり、
さらに、少なくとも１つのリンク部材（３３０ａ；３３０ｂ）によって回動部材（３４）に伝達された、選択された方向の荷重支持部材（１４）によって支持された荷重の一部を検出するように位置決めされた少なくとも１つの荷重センサ（６０）と、
を有することを特徴とする組立体。
【請求項２】  組立体支持プラットホーム（１２）に使用できる作動式の回転自在な支持部材組立体であって、組立体支持プラットホーム（１２）は、支持部材（１４）組立体を位置決めするよう構成されており、支持部材（１４）組立体は、
荷重を支持する支持面（１６）を備えた荷重支持部材（１４）と、
回転軸線を中心とした支持部材（１４）の回転のために組立体支持プラットホーム（１２）に連結されるように構成され、回転シャフト（７４；５０２ｂ）を備えた回動部材（３４）と、
回転平面内において、回転軸線を中心に、荷重支持部材（１４）を組立体支持プラットホーム（１２）に対して選択的に回転させるのに十分な回転力を作用させるように作動する力伝達部材（９６；５００）と、
選択された方向の荷重支持部材（１４）の荷重を検出するように位置決めされた少なくとも１つの荷重センサ（６０）と、
間隔を空けた関係にある第１のリンク部材及び第２のリンク部材（３３０ａ；３３０ｂ）と、を有し、第１及び第２のリンク部材は、各々、荷重支持部材（１４）と回動部材（３４）との間に連結され、力伝達部材（９６；５００）によって作用された回転力に応答して回転平面内の回転軸線を中心とした荷重支持部材（１４）の回転を許容し、力伝達部材（９６；５００）によって作用された回転力に応答して回転平面内の荷重支持部材（１４）の回転を除き、選択された方向に整合しない方向の移動を拘束しながら、回転平面と整合しない選択された方向の荷重支持部材（１４）の運動を許容し、第１及び第２のリンク部材（３３０ａ；３３０ｂ）は、各々、荷重支持部材（１４）に剛に取り付けられた第１の端部を備え、及び第１及び第２のリンク部材は、各々、直接且つ剛に回転シャフト（７４；５０２ｂ）に取り付けられた第２の端部を備え、第２の端部は、力伝達部材（９６；５００）によって作用された回転力に応答して回転平面内の回転軸線を中心に第１及び第２のリンク部材の回動運動のために回転シャフトによって支持され、第１及び第２のリンク部材は各々、回動部材（３４）に選択された方向の荷重支持部材（１４）によって支持された荷重の少なくとも一部を伝達するように構成され、第１及び第２のリンク部材は各々、可撓性及び弾力性を有し、荷重支持部材（１４）によって支持された選択された方向の荷重の下で選択された方向の撓みを許容し、荷重が除去されたとき選択された方向とは反対の方向に戻る移動をすることを特徴とする組立体。
【請求項３】  第１のリンク部材及び第２のリンク部材（３３０ａ；３３０ｂ）の少なくとも一方は、荷重が選択された方向の選択された荷重容量よりも低いとき、荷重支持部材が荷重を支持し、少なくとも、選択された方向の荷重が選択された荷重容量に近づくとき、選択された方向の荷重支持部材によって支持される荷重の下で、選択された方向の荷重支持部材（１４）の少なくとも制限された移動を許容しながら、地面の上方に荷重支持部材（１４）を支持するに十分な強度を有する請求項２記載の組立体。
【請求項４】  第１のリンク部材及び第２のリンク部材（３３０ａ；３３０ｂ）の少なくとも一方は、選択された方向に整合しない平面内に配置されたプレートである請求項２記載の組立体。
【請求項５】  第１のリンク部材及び第２のリンク部材（３３０ａ；３３０ｂ）の他方は、又、選択された方向に整合しない平面内に配置されたプレートであり、これらプレートの各々は、荷重支持部材及び回動部材の両方に剛に取り付けられている請求項４記載の組立体。
【請求項６】  第１のリンク部材及び第２のリンク部材（３３０ａ；３３０ｂ）からなるプレートは、荷重が選択された方向の選択された荷重容量よりも低いとき、支持面（１６）が荷重を支持しながら、地面の上方に荷重支持部材（１４）を支持するに十分な強度を有し、プレートは、荷重支持部材（１４）と回動部材（３４）の間のプレートによって伝達された、選択された方向の荷重支持部材によって支持された一部の荷重の下で選択された方向に十分に可撓性があり、少なくとも、選択された方向の荷重が選択された荷重容量に近づくとき、選択された方向の支持面によって支持される荷重の下で、選択された方向の荷重支持部材（１４）の少なくとも制限された移動を許容し、プレートは、回転平面に平行な方向には実質的に可撓性がない請求項５記載の組立体。
【請求項７】  力伝達部材（９６）は、第１のリンク部材及び第２のリンク部材（３３０ａ；３３０ｂ）を介して荷重支持部材（１４）に回転力を伝達するために、回転シャフト（７４）に駆動可能に連結され、荷重支持部材を選択的に回転させる請求項２記載の組立体。
【請求項８】  少なくとも１つの荷重センサ（６０）は、荷重支持部材（１４）と回動部材（３４）の間の第１のリンク部材及び第２のリンク部材（３３０ａ；３３０ｂ）によって伝達される選択された方向の荷重支持部材（１４）によって支持される一部の荷重の下で、選択された方向の第１のリンク部材及び第２のリンク部材（３３０ａ；３３０ｂ）の一方の撓みを検出するように位置決めされている請求項２記載の組立体。
【請求項９】  第１のリンク部材及び第２のリンク部材（３３０ａ；３３０ｂ）は、夫々、第１の可撓性プレート及び第２の可撓性プレートであり、各々が、選択された方向を横断する横平面配置であり、各々が、荷重支持部材（１４）及び回転シャフト（７４）の両方に剛に取り付けられており、力伝達部材（９６；５００）は、第１及び第２のプレートを介して荷重支持部材（１４）に回転力を伝達するために、回転シャフト（７４）を介して第１及び第２のプレートに連結され、荷重支持部材を回転平面内で、回動部材（３４）の左及び右に横方向に選択的に回転させ、第１及び第２のプレートは、荷重が選択された方向の選択された荷重容量よりも低いとき、荷重支持部材が荷重を支持し、少なくとも、選択された方向の荷重が選択された荷重容量に近づくとき、選択された方向の荷重支持部材によって支持される荷重の下で、選択された方向の荷重支持部材の少なくとも制限された移動を許容しながら、地面の上方に荷重支持部材を支持するに十分な強度を有する請求項２記載の組立体。
【請求項１０】  少なくとも１つの荷重センサ（６０）は、荷重支持部材（１４）の荷重の下で、選択された方向の第１及び第２のプレートの撓みを検出するように、第１及び第２のプレート（３３０ａ；３３０ｂ）の少なくとも一方に位置決めされている請求項９記載の組立体。
【請求項１１】  少なくとも１つの荷重センサ（６０）は、歪ゲージ及びスイッチの一方を含む請求項１０記載の組立体。
【請求項１２】  少なくとも１つの荷重センサ（６０）は、選択された方向の１つのプレートの空間的な移動を検出することによって、第１及び第２のプレート（３３０ａ；３３０ｂ）の一方の撓みを検出する請求項１０記載の組立体。
【請求項１３】  少なくとも１つの荷重センサ（６０）は歪ゲージであり、１つのプレートの歪を検出することによって、第１及び第２のプレートの一方の撓みを検出する請求項１０記載の組立体。
【請求項１４】  選択された方向は、下方向である請求項９記載の組立体。
【請求項１５】  荷重支持部材（１４）によって支持された選択された方向の、選択された量を超える荷重下において、第１及び第２のリンク部材の一方が選択された方向に撓んだとき、第１及び第２のリンク部材の一方に係合して選択された方向におけるその運動を制限するよう回動部材（３４）に隣接した位置で第１及び第２のリンク部材（３３０ａ、３３０ｂ）の一方の第２の端部に向かって配置された係合部材（５１４）を更に有していることを特徴とする請求項２記載の組立体。
【請求項１６】  選択された量を超える力が選択された方向と逆の方向で荷重支持部材に加えられたときに、第１及び第２のリンク部材のうちの他方が選択された方向とは逆の方向に撓むと、第１及び第２のリンク部材のうちの他方と係合し、選択された方向とは逆の方向へのその運動を制限するように、回動部材（３４）に隣接した位置で第１及び第２のリンク部材（３３０ａ、３３０ｂ）のうちの他方の第２の部分に向かって配置された別の係合部材を更に有していることを特徴とする請求項１５記載の組立体。
【請求項１７】  荷重支持部材（１４）に剛に取り付けられたアタッチメント部分を備える超過荷重部材（５１４）を更に有し、超過荷重部材は、更に、選択された量を超える荷重支持部材（１４）によって支持された荷重の下で、第１及び第２のプレートが選択された方向に撓むと、第２のプレートと係合するよう回動部材（３４）に隣接した位置で、第２のプレート（３３０ｂ）の第２の端部に向かって配置された係合部分（５１４ｂ）を有していることを特徴とする請求項９記載の組立体。
【請求項１８】  超過荷重部材（５１４）は、選択された量を超える力が選択された方向とは逆の方向で荷重支持部材（１４）に加えられたとき、第１及び第２のプレートが選択された方向とは逆の方向に撓むと、第１のプレートと係合するよう回動部材（３４）に隣接した位置で第１のプレート（３３０ａ）の第２の端部に向かって配置された別の係合部分（５１４ａ）を有していることを特徴とする請求項１７記載の組立体。
【請求項１９】  超過荷重部材（５１４）が、第１及び第２のプレート（３３０ａ；３３０ｂ）の間に延びていることを特徴とする請求項１７記載の組立体。
【請求項２０】  回動部材（３４）は、第１の端部（６８）、第２の端部（７０）、第１の端部と第２の端部との間に延びる長手方向軸線（Ｃ）及び長手方向軸線に沿って第１の端部と第２の端部との間で少なくとも部分的に延びるキャビティを備えた本体（６４）を有し、シャフト（７４）は、本体（６４）内に回転自在に配置されていて、本体の長手方向軸線（Ｃ）と整合したシャフト軸線を備え、本体及びシャフトの一方は、組立体支持プラットホーム（１２）に連結されるように構成され、本体及びシャフトの他方は、荷重支持部材（１４）に回転駆動を提供するように構成され、力伝達部材（９６）は、本体のキャビティ内に配置された直線−回転形力伝達部材を有し、加圧流体の選択的な作用に応答して長手方向軸線（Ｃ）と整合した状態で本体内で長手方向運動するように取り付けられ、力伝達部材は、力伝達部材の長手方向運動を、荷重支持部材（１４）を回転平面内で組立体支持プラットホーム（１２）に対して選択的に回転させるに十分な回転力で、シャフトと本体の間の回転運動に変換するように、本体（６４）及びシャフト（７４）と係合することを特徴とする請求項２記載の組立体。
【請求項２１】  第１のリンク部材（３３０ａ）の第２の端部は、力伝達部材（９６）の回転駆動を第１のリンク部材に伝達するためにシャフト（７４）の第１の端部に連結され、第２のリンク部材（３３０ｂ）の第２の端部は、力伝達部材（９６）の回転駆動を第２のリンク部材に伝達するためにシャフト（７４）の第２の端部に連結され、シャフト（７４）が本体（６４）に対して回転されるとき、荷重支持部材（１４）を、組立体支持プラットホーム（１２）に対して回転平面内で長手方向軸線（Ｃ）を中心に選択的に回転させることを特徴とする請求項２０記載の組立体。